【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
像担持体と、
前記像担持体にトナー像である第１の検知用画像及び第２の検知用画像を形成する形成手段と、
第１の発光素子から前記像担持体に形成された前記第１の検知用画像に向けて発光され、前記像担持体から正反射した正反射光を受光する第１の受光素子のみを有する第１の検知手段と、
第２の発光素子から前記像担持体に形成された前記第２の検知用画像に向けて発光され、前記第２の検知用画像から乱反射した乱反射光を受光する第２の受光素子のみを有する第２の検知手段と、
前記第１の検知手段により検知された第１の検知結果と前記第２の検知手段により検知された第２の検知結果とに基づき、前記形成手段により画像を形成する際の画像形成条件を制御する制御手段と、を備えることを特徴とする画像形成装置。
【請求項２】
前記制御手段は、前記第１の検知手段により検知された第１の検知結果と前記第２の検知手段により検知された第２の検知結果とに基づき、トナーの濃度に関する値を求め、前記トナーの濃度に関する値に基づき、前記形成手段により画像を形成する際の画像形成条件を制御することを特徴とする請求項１に記載の画像形成装置。
【請求項３】
前記制御手段は、前記第１の検知結果と、前記第２の検知結果を補正係数により補正した補正結果とに基づき、前記トナーの濃度に関する値を求めることを特徴とする請求項２に記載の画像形成装置。
【請求項４】
前記制御手段は、前記第１の検知手段及び前記第２の検知手段によって、ベタ画像を検知した検知結果、又は正反射光が略ゼロとなる基準物を検知した検知結果に基づき、前記補正係数を求めることを特徴とする請求項３に記載の画像形成装置。
【請求項５】
前記補正係数を記憶する記憶手段を備え、
前記制御手段は、前記記憶手段に記憶された前記補正係数により前記第２の検知結果を補正することを特徴とする請求項３又は４に記載の画像形成装置。
【請求項６】
前記第１の検知手段と前記第２の検知手段は、前記像担持体が移動する方向と直交する方向において、夫々の検知領域が重複しないように配置されることを特徴とする請求項１乃至５のいずれか１項に記載の画像形成装置。
【請求項７】
前記第１の検知用画像と前記第２の検知用画像は、前記像担持体が移動する方向と直交する方向において、重複しないように形成されることを特徴とする請求項１乃至６のいずれか１項に記載の画像形成装置。
【請求項８】
前記第１の検知用画像と前記第２の検知用画像は、有彩色であることを特徴とする請求項１乃至７のいずれか１項に記載の画像形成装置。
【請求項９】
前記第１の検知用画像と前記第２の検知用画像は、無彩色であることを特徴とする請求項１乃至７のいずれか１項に記載の画像形成装置。
【請求項１０】
前記第１の検知用画像と前記第２の検知用画像は、単位面積あたりのトナー量が略同一となるように形成されることを特徴とする請求項１乃至９のいずれか１項に記載の画像形成装置。
【請求項１１】
前記第１の検知用画像と前記第２の検知用画像は、同じ色であることを特徴とする請求項１乃至１０のいずれか１項に記載の画像形成装置。
【請求項１２】
前記第１の検知結果から、前記第２の検知結果を前記補正係数で補正した補正結果を減じることで求めた第１の算出結果に基づき、前記トナーの濃度に関する情報を求めることを特徴とする請求項３に記載の画像形成装置。
【請求項１３】
前記制御手段は、検知用画像が形成されていない前記像担持体の位置から反射した正反射光を第１の検知手段によって検知した第３の検知結果の値から、検知用画像が形成されていない前記像担持体の位置から反射した乱反射光を前記第２の検知手段によって検知した第４の検知結果を前記補正係数で補正した値を減じることで求めた第２の算出結果で、前記第１の算出結果を規格化した結果に基づき、前記トナーの濃度に関する値を求めることを特徴とする請求項１２に記載の画像形成装置。
【請求項１４】
前記第１の発光素子及び前記第２の発光素子は、砲弾型ＬＥＤ又はチップ型ＬＥＤからなることを特徴とする請求項１乃至１３のいずれか１項に記載の画像形成装置。
【請求項１５】
前記第１の受光素子及び前記第２の受光素子に反射光が受光される前に、反射光を偏光する偏光手段を、さらに備えることを特徴とする請求項１乃至１３のいずれか１項に記載の画像形成装置。
【請求項１６】
前記制御手段は、前記第１の検知結果を前記第２の検知結果で補正した補正結果に基づき、前記形成手段により画像を形成する際の画像形成条件を制御することを特徴とする請求項１に記載の画像形成装置。
【請求項１７】
画像形成装置に用いられる濃度検知装置であって、
第１の発光素子から像担持体に形成されたトナー像である第１の検知用画像に向けて発光され、前記像担持体から正反射した正反射光を受光する第１の受光素子のみを有する第１の検知手段と、
第２の発光素子から前記像担持体に形成されたトナー像である第２の検知用画像に向けて発光され、前記第２の検知用画像から乱反射した乱反射光を受光する第２の受光素子のみを有する第２の検知手段と、
前記第１の検知手段により検知された第１の検知結果と前記第２の検知手段により検知された第２の検知結果とに基づき、画像を形成する際の画像形成条件を制御する制御手段と、を備えることを特徴とする濃度検知装置。
【請求項１８】
前記制御手段は、前記第１の検知手段により検知された第１の検知結果と前記第２の検知手段により検知された第２の検知結果とに基づき、トナーの濃度に関する値を求め、前記トナーの濃度に関する値に基づき、画像を形成する際の画像形成条件を制御することを特徴とする請求項１７に記載の濃度検知装置。
【請求項１９】
前記制御手段は、前記第１の検知結果と、前記第２の検知結果を補正係数により補正した補正結果と、に基づき、前記トナーの濃度に関する値を求めることを特徴とする請求項１８に記載の濃度検知装置。
【請求項２０】
前記制御手段は、前記第１の検知手段及び前記第２の検知手段によって、ベタ画像を検知した検知結果、又は正反射光が略ゼロとなる基準物を検知した検知結果に基づき、前記補正係数を求めることを特徴とする請求項１９に記載の濃度検知装置。
【請求項２１】
前記補正係数を記憶する記憶手段を備え、
前記制御手段は、前記記憶手段に記憶された前記補正係数により前記第２の検知結果を補正することを特徴とする請求項１９又は２０に記載の濃度検知装置。
【請求項２２】
前記第１の検知用画像と前記第２の検知用画像は、有彩色であることを特徴とする請求項１７乃至２１のいずれか１項に記載の濃度検知装置。
【請求項２３】
前記第１の検知用画像と前記第２の検知用画像は、無彩色であることを特徴とする請求項１７乃至２１のいずれか１項に記載の濃度検知装置。
【請求項２４】
前記第１の検知用画像と前記第２の検知用画像は、単位面積あたりのトナー量が略同一となるように形成されることを特徴とする請求項１７乃至２３のいずれか１項に記載の濃度検知装置。
【請求項２５】
前記第１の検知用画像と前記第２の検知用画像は、同じ色であることを特徴とする請求項１７乃至２４のいずれか１項に記載の濃度検知装置。
【請求項２６】
前記第１の検知結果から、前記第２の検知結果を前記補正係数で補正した補正結果を減じることで求めた第１の算出結果に基づき、前記トナーの濃度に関する情報を求めることを特徴とする請求項１９に記載の濃度検知装置。
【請求項２７】
前記制御手段は、検知用画像が形成されていない前記像担持体の位置から反射した正反射光を第１の検知手段によって検知した第３の検知結果から、検知用画像が形成されていない前記像担持体の位置から反射した乱反射光を前記第２の検知手段によって検知した第４の検知結果を前記補正係数で補正した補正結果を減じることで求めた第２の算出結果で、前記第１の算出結果を規格化した結果に基づき、前記トナーの濃度に関する値を求めることを特徴とする請求項２６に記載の濃度検知装置。
【請求項２８】
前記第１の発光素子及び前記第２の発光素子は、砲弾型ＬＥＤ又はチップ型ＬＥＤからなることを特徴とする請求項１７乃至２７のいずれか１項に記載の濃度検知装置。
【請求項２９】
前記第１の受光素子及び前記第２の受光素子に反射光が受光される前に、反射光を偏光する偏光手段を、さらに備えることを特徴とする請求項１７乃至２７のいずれか１項に記載の濃度検知装置。
【請求項３０】
前記制御手段は、前記第１の検知結果を前記第２の検知結果で補正した補正結果に基づき、画像を形成する際の画像形成条件を制御することを特徴とする請求項１７に記載の濃度検知装置。
【手続補正２】
【補正対象書類名】明細書
【補正対象項目名】０００８
【補正方法】変更
【補正の内容】
【０００８】
上記目的を達成するために、像担持体と、前記像担持体にトナー像である第１の検知用画像及び第２の検知用画像を形成する形成手段と、第１の発光素子から前記像担持体に形成された前記第１の検知用画像に向けて発光され、前記像担持体から正反射した正反射光を受光する第１の受光素子のみを有する第１の検知手段と、第２の発光素子から前記像担持体に形成された前記第２の検知用画像に向けて発光され、前記第２の検知用画像から乱反射した乱反射光を受光する第２の受光素子のみを有する第２の検知手段と、前記第１の検知手段により検知された第１の検知結果と前記第２の検知手段により検知された第２の検知結果とに基づき、前記形成手段により画像を形成する際の画像形成条件を制御する制御手段と、を備えることを特徴とする。